(57)【要約】【課題】  消費電力量の低減を実現しつつ、固着状態を脱出して正常な弁動作を行うことを可能とする、遮断弁装置を提供する。【解決手段】  駆動制御回路５は、弁体２の位置が所定期間Δｔth1-2以上の期間に亘って一定状態に保たれていた後に、その弁体２の移動を行う場合には、弁体２の位置が所定期間ｔth1-2未満の期間に亘って一定状態に保たれていた後に弁体２の移動を行う場合に設定された通常トルクＴｐ0よりも大きな値に設定された大トルクＴｐMを出力するように、ステッピングモータ３の駆動制御を行う。【選択図】      図１
2006038182.tif 000002
【特許請求の範囲】
【請求項１】
弁体と、前記弁体によって塞がれることで流体の流れを遮断するように設けてなる導通口と、ステッピングモータと、前記ステッピングモータの出力軸の回転運動を直線運動に変換して前記弁体の前記導通口に対する移動運動を行う運動変換機構と、前記ステッピングモータに駆動電圧を入力して当該ステッピングモータの駆動制御を行う駆動制御回路とを備えた遮断弁装置であって、
前記駆動制御回路は、前記弁体の位置が所定期間以上の期間に亘って一定状態に保たれていた後に前記弁体の移動運動を行う場合には、前記弁体の位置が前記所定期間未満の期間に亘って一定状態に保たれていた後に前記弁体の移動運動を行う場合に設定された通常トルクよりも大きなトルクで前記ステッピングモータが回転するように駆動制御を行う
ことを特徴とする遮断弁装置。
【請求項２】
弁体と、前記弁体によって塞がれることで流体の流れを遮断するように設けてなる導通口と、ステッピングモータと、前記ステッピングモータの出力軸の回転運動を直線運動に変換して前記弁体の前記導通口に対する移動運動を行う運動変換機構と、弁体移動命令入力手段と、前記ステッピングモータに駆動電圧を入力して当該ステッピングモータの駆動制御を行う機能および前記弁体移動命令入力手段によって移動命令信号が入力されるとそれに対応して前記弁体を移動させる駆動制御を行う機能とを有する駆動制御回路と、を備えた遮断弁装置であって、
前記駆動制御回路は、前記弁体移動命令入力手段によって移動命令信号が入力されると前記ステッピングモータを通常トルクで回転させ、それ以降、所定時間以内に再び前記弁体移動命令入力手段によって移動命令信号が入力された場合には、前記通常トルクよりも大きなトルクで前記ステッピングモータが回転するように駆動制御を行う
ことを特徴とする遮断弁装置。
【請求項３】
前記駆動制御回路は、前記ステッピングモータのトルクが、起動時に最大トルクとなり、以降、段階的または連続的に漸次低減して行くように、前記駆動制御を行う
ことを特徴とする請求項１または２記載の遮断弁装置。
【請求項４】
前記駆動制御回路は、前記ステッピングモータのトルクが、当該ステッピングモータの起動時から所定時間内では前記大きなトルクで一定となり、前記所定時間経過後は前記通常トルクで一定となるように駆動制御を行う
ことを特徴とする請求項１または２記載の遮断弁装置。
【請求項５】
前記弁体が移動したことを検知する弁体移動検知手段を、さらに備えており、
前記駆動制御回路は、前記弁体を移動する制御を行うにあたり、前記ステッピングモータのトルクを、前記通常トルク以上に設定された起動時トルクから漸次増大させて行き、前記弁体が移動したことが前記弁体移動検知手段によって検知されると、それ以降は、前記通常トルクにするように駆動制御を行う
ことを特徴とする請求項１または２記載の遮断弁装置。
【請求項６】
前記弁体が移動したことを検知する弁体移動検知手段を、さらに備えており、
前記駆動制御回路は、前記ステッピングモータのトルクを、当該ステッピングモータの起動時から前記大きなトルクにして一定に保ち続け、前記弁体が移動したことが前記弁体移動検知手段によって検知されると、それ以降は、前記通常トルクにするように駆動制御を行う
ことを特徴とする請求項１または２記載の遮断弁装置。
【請求項７】
前記駆動制御回路は、前記駆動電圧の周波数の高低を変化させることによって前記トルクの大小を制御する
ことを特徴とする請求項１ないし６いずれか１項に記載の遮断弁装置。
【請求項８】
前記駆動制御回路は、前記駆動電圧の波形のデューティ比を変化させることによって前記トルクの大小を制御する
ことを特徴とする請求項１ないし７いずれか１項に記載の遮断弁装置。
【請求項９】
前記駆動制御回路は、前記駆動電圧の波形実効値または波形平均値を変化させることによって前記トルクの大小を制御する
ことを特徴とする請求項１ないし８いずれか１項に記載の遮断弁装置。
【請求項１０】
前記流体が、可燃性のガスであり、
前記弁体と、前記導通口と、前記ステッピングモータと、前記運動変換機構と、前記駆動制御回路とが、ガスメータに内蔵して用いられるものである
ことを特徴とする請求項１ないし９いずれか１項に記載の遮断弁装置。
【発明の詳細な説明】
【技術分野】
【０００１】
本発明は、例えばガスメータに内蔵されて、都市ガスのような可燃性ガスなどの緊急遮断や、その逆に復帰などを行うための、遮断弁装置に関する。
【背景技術】
【０００２】
例えば都市ガスやＬＰガス用などの、いわゆるガスメータでは、ガス漏洩や種火の不慮の消失などに起因した種々の危険事態の発生を防止するために、遮断弁装置が利用されている。
【０００３】
具体的には、いわゆるマイコン内蔵式ガスメータ（マイコンメータとも呼ばれる）には、流量計測装置と、マイクロコンピュータと、遮断弁装置と、感震装置とが内蔵されており、流量計測装置によって計測されるガスの流量を、マイクロコンピュータによって監視する。そしてマイクロコンピュータが、ガスの流量やその継続時間等の情報に基づいて、ガス漏洩などの異常が発生したと判定した場合や、地震が発生したと判定した場合には、遮断弁装置を駆動して弁体を開放状態から遮断状態にすることで、ガスメータから下流側へのガスの供給を遮断する。あるいは、例えばユーザが長期間に亘って住居を留守にする場合などには、ガスの使用も長期間に亘って使用中断状態となるので、その間の安全確保のために、強制的に遮断実行命令を入力することで、弁体が開放状態から遮断状態にされる。
【０００４】
そして異常事態が解消された場合、あるいは長期継続されていた使用中断状態からガスの使用を再開する場合には、安全確認の後、ユーザまたはガス管理会社の担当者等が弁体移動命令入力手段を押して強制的に遮断解除（開放）実行命令を入力することで、マイクロコンピュータが遮断弁装置を駆動して、弁体を遮断状態から開放状態にする。
【０００５】
上記のような遮断弁装置の駆動方式としては、電磁式ソレノイドを動力源として用いた、いわゆる電磁弁方式が、主に用いられてきた。しかし近年では、フィードバック制御系が不要で比較的簡易な駆動制御回路によって実用上十分な回転精度を得ることができ、かつ比較的強力な軸出力トルクを得ることが可能な、ステッピングモータを動力源として用いる方式のものが提案されている。このステッピングモータ方式の遮断弁装置では、ステッピングモータの出力軸の回転運動を、ウォーム歯車機構またはカム機構などのような運動変換機構によって直線運動に変換し、その運動変換機構によって駆動される弁体を導通口（の弁座）に対して遠近方向に直線的に移動させることで、ガス供給の開放・遮断を行う。より具体的には、弁体を弁座に押し付けることで遮断状態とし、弁体を弁座から十分に引き離すことで開放状態とするように設定している（特許文献１）。
【０００６】
【特許文献１】特開2003-194252号公報
【発明の開示】
【発明が解決しようとする課題】
【０００７】
ところが、遮断弁装置では一般に、長期間に亘って弁体が開放状態または遮断状態に固定されている場合が多いので、弁体のゴム部材と弁座との間や運動変換機構などに固着が発生する虞がある。このため、上記のようなステッピングモータ方式の遮断弁装置では、弁体を遮断状態から開放状態へと移動させようとする場合や、逆に開放状態から遮断状態へと移動させようとする場合に、固着に起因した大きな抗力に対してステッピングモータの出力トルクが負けてしまい、弁体を移動させることができなくなるという問題がある。
【０００８】
このような問題を解消するために、遮断状態や開放状態で弁体に加えられる応力を、若干緩和するという手法が提案されている。すなわち、弁体を遮断状態から開放状態へと移動する場合、または開放状態から遮断状態へと移動する場合に、弁体を最大限の距離に亘って移動させた後、ステッピングモータに若干の逆回転を行わせることで、例えば弁体と弁座との間の応力を緩和させるという手法である。
【０００９】
しかしながら、このような手法をステッピングモータ方式の遮断弁装置に適用したとしてもなお、例えば遮断状態では弁体と弁座とが接触した状態にあるので、それら同士の固着を免れることはできない。すなわち、ガスメータは一般に戸外に設置されるので、その環境下での温度や湿度に因って弁体のゴム部材などに劣化が生じ、それが弁体と弁座とを固着させる要因となる。このような固着を上記の手法によって防ぐためには、弁体の位置（押し付け応力）を弁座と接触しなくなるまで緩めなければならないことになるが、それでは安全な遮断状態ではなくなるので、現実的ではない。
【００１０】
また、開放状態から遮断状態へと移動させる場合には、弁体と弁座との固着については発生する虞はないが、しかし、例えば長期に亘って開放状態に保っているうちに運動変換機構が内部的に固着するなどして、遮断状態へと移動させることができなくなる虞がある。このような開放状態での固着についても、上記の手法によって防ぐことは不可能である。何故なら、弁体の位置を最大限まで開放状態にした後にステッピングモータを若干逆回転して停止させても、停止以降はその状態を保ったままなのであるから、その状態で運動変換機構が内部的に固着することについては、回避することができないからである。
【００１１】
このように、従来提案されている上記のような手法では、遮断弁装置における固着の問題を解決することは極めて困難あるいは不可能であった。
【００１２】
ここで、弁体を遮断状態から開放状態へと移動させる場合の方が、開放状態から遮断状態へと移動させる場合よりも固着の発生確率が高く、それに起因した不都合が発生しやすい傾向にあるが、ガス供給上の危険度は低い。他方、弁体を開放状態から遮断状態へと移動させる場合は、固着の発生確率は低いが、しかし、いざというときに遮断ができないことになるので、ガス供給上の危険度が高い。従って、これら両方の場合のいずれでも、固着に起因した弁体の移動不能の問題を解消することが要請される。
【００１３】
また、マイコン内蔵式ガスメータには一般に、電源としてリチウム電池のような一次電池が内蔵されて用いられる。このような一次電池は、例えば７年から１０年の間という長期間に亘って安定的に電力をマイコン等に供給しなければならない。このため、ガスメータの内部消費電力量を可能な限り節約することが要請される。この要請に対応するためには、遮断弁装置に用いられているステッピングモータでの消費電力量を、できるだけ低減することが必要となる。
【００１４】
ところが、ステッピングモータを用いた従来の遮断弁装置の技術では、上記のように固着が生じた場合に、その固着状態を脱出しなければならないので、そのための多大なトルクが必要となる。換言すれば、予め固着状態を脱出することが可能であるような大トルクを出力するように設定しておくと、固着が生じていない場合には、弁体を移動させる毎に、無駄な（過大な）トルクに見合った多大な電力が消費され、上記の消費電力量を低減するという要請に反することとなってしまう。
【００１５】
あるいは、そのような固着から脱出するために要するトルクは考慮することなしに、固着していない場合に必要であると想定される程度の通常トルクを常にステッピングモータから出力させるように設定した場合には、それほど多大な電力を消費しないので、消費電力量の低減の要請に適うという点では都合がよいようにも考えられる。
【００１６】
しかし、固着が発生している場合には、そのような通常トルクで弁体を移動させようとしても、固着状態を脱出することができないという致命的な問題が残る。また、固着が発生している場合には、甚だしくはステッピングモータがストールしてしまうので、ステッピングモータの動作特性上、ストール時の多大なインダクタンス等に起因して、消費電流が大きくなり、延いては消費電力量の低減の要請に反する結果となってしまう虞もある。
【００１７】
本発明はかかる問題点に鑑みてなされたもので、その目的は、消費電力量の低減を実現しつつ、固着状態を脱出して正常な弁動作を行うことを可能とする、遮断弁装置を提供することにある。
【課題を解決するための手段】
【００１８】
本発明による第１の遮断弁装置は、弁体と、前記弁体によって塞がれることで流体の流れを遮断するように設けてなる導通口と、ステッピングモータと、前記ステッピングモータの出力軸の回転運動を直線運動に変換して前記弁体の前記導通口に対する移動運動を行う運動変換機構と、前記ステッピングモータに駆動電圧を入力して当該ステッピングモータの駆動制御を行う駆動制御回路とを有する遮断弁装置であって、前記駆動制御回路が、前記弁体の位置が所定期間以上の期間に亘って一定状態に保たれていた後に前記弁体の移動運動を行う場合には、前記弁体の位置が前記所定期間未満の期間に亘って一定状態に保たれていた後に前記弁体の移動運動を行う場合の通常トルクよりも大きなトルクで前記ステッピングモータを回転させるように駆動制御を行う。
【００１９】
すなわち、第１の遮断弁装置では、弁体の位置が所定期間以上の期間に亘って一定状態に保たれていた後に弁体の移動運動（例えば開放状態から遮断状態へ、あるいは逆に、遮断状態から開放状態へ）を行う場合には、弁体や運動変換機構等が固着状態になっている確率が高いので、駆動制御回路は、通常トルクよりも大きなトルクでステッピングモータを回転させるように駆動制御を行うことで、弁体や運動変換機構等を固着状態から脱出させる。
【００２０】
また、弁体の位置が所定期間未満の期間に亘って一定状態に保たれていた後に弁体の移動運動を行う場合には、弁体や運動変換機構が固着状態になっている確率は上記の場合ほど高くないので、駆動制御回路は、上記のような大きなトルクよりも小さな通常トルクでステッピングモータを回転させるように駆動制御を行うことで、不必要な電力消費を回避して消費電力量の低減を図る。
【００２１】
本発明による第２の遮断弁装置は、弁体と、前記弁体によって塞がれることで流体の流れを遮断するように設けてなる導通口と、ステッピングモータと、前記ステッピングモータの出力軸の回転運動を直線運動に変換して前記弁体の前記導通口に対する移動運動を行う運動変換機構と、弁体移動命令入力手段と、前記ステッピングモータに駆動電圧を入力して当該ステッピングモータの駆動制御を行う機能および前記弁体移動命令入力手段によって移動命令信号が入力されるとそれに対応して前記弁体を移動させる駆動制御を行う機能とを有する駆動制御回路と、を備えた遮断弁装置であって、前記駆動制御回路は、前記弁体移動命令入力手段によって移動命令信号が入力されると前記ステッピングモータを通常トルクで回転させ、それ以降、所定時間以内に再び前記弁体移動命令入力手段によって移動命令信号が入力された場合には、前記通常トルクよりも大きなトルクで前記ステッピングモータが回転するように駆動制御を行う。
【００２２】
すなわち、第２の遮断弁装置では、例えばいわゆる復帰ボタンのような弁体移動命令入力手段によって移動命令信号が入力されると、ステッピングモータの出力トルクを通常トルクとし、それ以降、所定時間以内に再び移動命令信号が入力された場合には、そのとき固着が発生していたことに起因して弁体が十分に移動しなかったのでユーザ等によって弁体移動命令が再度入力されたものと見做して、通常トルクよりも大きなトルクでステッピングモータを回転させる。これにより、弁体や運動変換機構等を固着状態から脱出させる。また、弁体移動命令入力手段によって移動命令信号が入力されてから所定時間以内に弁体移動命令が再度入力されなかった場合には、そのとき固着は発生しておらず弁体が十分に移動することができたのでユーザ等は弁体移動命令を再度入力しなかったものと見做して、通常トルクでステッピングモータを回転させる。これにより、不必要な電力消費を回避して消費電力量の低減を図る。
【００２３】
ここで、さらに詳細には、前記駆動制御回路が、ステッピングモータの出力トルクを、起動時に最大トルクとし、以降、段階的または連続的に漸次低減して行くように制御することは、望ましい一態様である。
【００２４】
すなわち、固着が発生している場合に最も大きなトルクが必要となる起動時のステッピングモータの出力トルクを最大トルクとすることで、固着からの脱出を図る。そしてそれ以降の弁体の移動については、出力トルクを段階的または連続的に漸次低減して行くことで、不必要な電力消費を回避して消費電力量の低減を図る。
【００２５】
あるいは、前記駆動制御回路が、前記ステッピングモータのトルクを、当該ステッピングモータの起動時から所定時間内では前記大きなトルクで一定とし、前記所定時間経過後は前記通常トルクで一定とするように駆動制御を行ってもよい。
【００２６】
すなわち、固着が発生している場合に最も大きなトルクが必要となる起動時から所定時間内では、ステッピングモータの出力トルクを上記のような大きなトルクとして一定に保つことで、固着からの脱出を図り、その固着から脱出した以降の弁体の移動については通常トルクとして一定に保つことで、不必要な電力消費を回避して消費電力量の低減を図る。
【００２７】
あるいは、前記弁体が移動したことを検知する弁体移動検知手段を、さらに備えており、前記駆動制御回路が、前記弁体を移動する制御を行うにあたり、前記ステッピングモータのトルクを、前記通常トルク以上に設定された起動時トルクから漸次増大させて行き、前記弁体が移動したことが前記弁体移動検知手段によって検知されると、それ以降は、前記通常トルクにするように駆動制御を行うようにしてもよい。
【００２８】
すなわち、起動時には、通常トルクあるいは若干それ以上に大きなトルクでステッピングモータを回転開始させ、弁体の移動が検知されるまで、徐々にその出力トルクを増大させて行くことで、固着を脱するために必要十分なトルクをステッピングモータから出力させる。このようにして、無駄に過大なトルクを出力することを回避して消費電力量の低減を図りつつ、必要十分な大きさの出力トルクで固着からの脱出を図ることが可能となる。
【００２９】
あるいは、前記弁体が移動したことを検知する弁体移動検知手段を、さらに備えており、前記駆動制御回路が、前記ステッピングモータのトルクを、当該ステッピングモータの起動時から前記大きなトルクで一定に保ち続け、前記弁体が移動したことが前記弁体移動検知手段によって検知されると、それ以降は、前記通常トルクにするように駆動制御を行うようにしてもよい。
【００３０】
このようにすることによっても、無駄に過大なトルクを出力することを回避して消費電力量の低減を図りつつ、必要十分な大きさの出力トルクで固着からの脱出を図ることが可能である。
【００３１】
ここで、さらに詳細には、上記の駆動制御回路が、駆動電圧の周波数の高低を変化させることで、ステッピングモータの出力トルクの大小を制御するようにしてもよい。
【００３２】
あるいは、上記の駆動制御回路が、駆動電圧の波形のデューティ比を変化させることによってステッピングモータの出力トルクの大小を制御するようにしてもよい。
【００３３】
あるいは、上記の駆動制御回路が、駆動電圧の波形実効値または波形平均値を変化させることによってステッピングモータの出力トルクの大小を制御するようにしてもよい。
【００３４】
このような駆動電圧波形による出力トルクの制御の態様は、上記のステッピングモータの詳細な種類や動作特性等に対応して適宜に選択して設定することが望ましいことは勿論である。
【００３５】
なお、上記の流体が、可燃性のガスであり、上記の弁体と、導通口と、ステッピングモータと、運動変換機構と、駆動制御回路とを、ガスメータに内蔵して用いるようにすることは、望ましい一態様である。すなわち、上記の第１または第２の遮断弁装置は、例えば都市ガスやＬＰガスのガスメータなどに好適に利用可能である。
【発明の効果】
【００３６】
本発明の遮断弁装置によれば、消費電力量の低減を実現しつつ、固着状態を脱出して正常な弁動作を行うことが可能となる。
【発明を実施するための最良の形態】
【００３７】
以下、本発明の実施の形態について図面を参照して詳細に説明する。
【００３８】
図１は、発明の一実施の形態に係る遮断弁装置を内蔵してなるガスメータの概要構成を表す模式図であり、図２は、それに用いられるステッピングモータおよび運動変換機構ならびに弁体を部分的に抽出して表した一部省略断面図である。なお、図１は、内部構造を明確に表示するために、導通路の容器の正面部分を一部カットオフして示してある。
【００３９】
このガスメータにおける遮断弁装置は、導通口１と、弁体２と、ステッピングモータ３と、運動変換機構４と、駆動制御回路５と、弁体移動命令入力手段としての復帰ボタン装置６および遮断キー装置７と、弁体移動検知手段としての流量変化検知回路８とから、その主要部が構成されている。この遮断弁装置は、都市ガスやＬＰガスのような可燃性ガス用のガスメータに内蔵される。
【００４０】
導通口１は、ガスを導通させる導通路容器９に設けられている。導通口１の周囲は弁座１０となっており、その弁座１０にゴム部材からなる弁体２の周縁部を押し付けて密着させることで、ガスの流れを遮断するように設定されている。
【００４１】
弁体２は、運動変換機構本体１２のフランジ板部１１の表面（図２では下面）に貼り付けられていて、運動変換機構本体１２が直線運動すると、その運動変換機構４と共に、導通口１に対して遠近方向に直線的に移動するように設定されている。この弁体２は弁座１０に押し付けられてガスの導通を確実に遮断することができるようにするために、合成ゴムのような柔軟性および弾力性の高い部材からなる。
【００４２】
運動変換機構４は、運動変換機構本体１２と、ウォーム歯１３と、ガイド切欠き１５と、ガイド板１６とからなる。運動変換機構本体１２は、その筒状の側壁１４の内側に、ステッピングモータ３が所定の寸法的遊びを有して収容され、その筒状の側壁１４に沿って移動することが可能に設定されている。また、その側壁１４には、ガイド切欠き１５が設けられており、ステッピングモータ３の側面に突出するように設けられたガイド板１６が所定の寸法的遊びを有して挿通される。そしてその底部のほぼ中央には、雌ネジ状のウォーム歯受け溝１７を刻設してなる受け孔１８が設けられている。他方、ウォーム歯１３は、ステッピングモータ３の出力軸１９の先端寄りに設けられており、運動変換機構本体１２の受け孔１８と噛み合わされる。
【００４３】
この運動変換機構４では、上記のような構成により、ステッピングモータ３の出力軸１９の回転に伴って、ウォーム歯１３が受け孔１８に対して相対的にその軸方向に移動することで、運動変換機構本体１２がステッピングモータ３に対して相対的に移動して、運動変換機構本体１２のフランジ板部１１の表面に貼り付けられている弁体２が、導通口１（弁座１０）に対してその遠近方向に移動することとなる。このようにして、この運動変換機構４では、ステッピングモータ３の出力軸１９の回転運動が弁体２の直線運動に変換される。
【００４４】
ステッピングモータ３は、例えば駆動電圧波形の周波数に対応して出力トルクが変化する一般的なものである。すなわち、周波数を高くすると低トルクとなり、周波数を低くすると高トルクとなる。または、駆動電圧波形のデューティ比や実効電圧値もしくは平均電圧値（波形平均値）に対応して出力トルクが変化する特性を有する。また、それらを組み合わせることで、さらに多様な駆動制御のバリエーションが可能であることは勿論である。また、極数やモータサイズについても、消費電力量ができるだけ低くて所望のトルクを出力することが可能なものであれば、どのようなものでも構わないことは言うまでもない。
【００４５】
復帰ボタン装置６および遮断キー装置７は、弁体２を移動させる命令（弁体移動命令とも呼ぶ）を入力するための手段である。復帰ボタン装置６は、ユーザやガス管理担当者等によってボタン６１が押下されると、弁体２を遮断状態から開放状態へと移動させる命令信号を駆動制御回路５へと入力する。また、遮断キー装置７は、例えばガスメータの外部に保管されている電磁キー７１を遮断キー装置７に近付けると、その遮断キー装置７に内蔵されているリードスイッチ７２がオン状態になって、弁体２を開放状態から遮断状態へと移動させる命令信号を駆動制御回路５に入力する。これら復帰ボタン装置６および遮断キー装置７それ自体については、一般的なもので構わないことは勿論である。
【００４６】
流量変化検知回路８は、弁体２が移動したことを検知する。具体的には、遮断弁を開放状態から遮断状態に移動させた際、または逆に、遮断状態から開放状態に移動させた際には、一般に、そのときの弁体２の状態の変化に伴って、ガスの流量や圧力に変化が生じるので、その流量変化に基づいて、弁体２が正常に移動したか否かを判定する。例えば、遮断状態にあった弁体２が正常に移動して開放状態になると、そのときまで遮断状態であったことに起因して、弁体２の上流側と下流側とではガスの圧力が互いに異なった状態になっている場合が多い。このため、弁体２が遮断状態から開放状態へと正常に移動した場合には、それまで弁体２の上流側と下流側との間で生じていた圧力差等に起因して、導通口１を通るガスの流れが生じる。しかし、固着等に起因して弁体２が移動できない場合には、ガスの流れが生じる確率は極めて低い。従って、このような弁体２の移動に伴って検知される流量変化に基づいて、弁体２が正常に移動したか否かを判定することができる。
【００４７】
駆動制御回路５は、駆動電圧を入力してステッピングモータ３を駆動するものである。そのステッピングモータ３に入力する駆動電圧の周波数（またはデューティ比もしくは平均電圧値あるいはそれらの組み合わせ）を変化させることで、ステッピングモータ３の出力トルクを制御する機能を備えている。そして、ステッピングモータ３に入力する駆動電圧パルスの合計パルス数によって、そのステッピングモータ３の回転数Ｎ（または回転角度θ）を実用上十分な精度で制御して、弁体２の直線運動を実用上十分な精度で制御することができるように設定されている。
【００４８】
また、この駆動制御回路５は、復帰ボタン装置６または遮断キー装置７によって弁体移動命令が入力されると、それに対応して弁体２を移動させる制御を実行するという機能を備えている。
【００４９】
この駆動制御回路５は、いわゆるマイコン（マイクロコンピュータ，あるいはＭＰＵ；マイクロプロセッシングユニット）をハードウェアとして用いてソフトウェア的に構築してもよく、あるいはディスクリートな電子部品をプリント配線基板上に実装することで構築してもよいことは勿論である。
【００５０】
この駆動制御回路５では、基本的に、弁体２の位置が所定期間Δｔth1-2以上の長期間に亘って一定状態に保たれていた場合には、ステッピングモータ３の出力トルクを、通常トルクよりも大きな所定のトルク値に設定してなる大トルクにする。また、弁体２の位置が上記の所定期間Δｔth1-2未満の短期間に亘って一定状態に保たれていた場合には、ステッピングモータ３の出力トルクを、上記の大トルクよりも小さな所定の通常トルクにする。
【００５１】
ここで、通常トルクとは、固着が発生していない状態で、ガスの流体的な力や圧力等に抗して弁体２を移動できる程度の大きさに設定されたトルクを意味している。また、大トルクとは、固着が発生している状態で、その固着力とガスの流体的な力や圧力等との合力に抗して弁体２を移動させることで、そのときの固着状態を脱して弁体２を移動させることが可能な程度の大きさに設定されたトルクを意味している。
【００５２】
ステッピングモータ３の出力トルクを制御するための手法としては、主に下記の３種類（（１）〜（３））およびそれらの組み合わせ（（４））が可能である。すなわち、
（１）  駆動電圧波形の周波数を高くすることで、ステッピングモータ３の出力トルクを小さくする。逆に、駆動電圧波形の周波数を低くすることで、ステッピングモータ３の出力トルクを大きくする。
（２）  駆動電圧波形のデューティ比を高くすることで、ステッピングモータ３の出力トルクを大きくする。逆に、駆動電圧波形のデューティ比を低くすることで、ステッピングモータ３の出力トルクを小さくする。
（３）  駆動電圧の波形実効値または波形平均値を大きくすることで、ステッピングモータ３の出力トルクを大きくする。逆に、駆動電圧の波形実効値または波形平均値を小さくすることで、ステッピングモータ３の出力トルクを小さくする。
（４）  上記の（１）〜（３）を組み合わせてステッピングモータ３の出力トルクの大小を制御する。
【００５３】
この駆動制御回路５によるステッピングモータ３の具体的な駆動制御パターン（出力トルクの時間的推移パターン）は、下記の（Ａ）〜（Ｅ）あるいはさらにそれらの組み合わせが可能である。すなわち、図３〜図８に示すように、
（Ａ）  ステッピングモータ３の出力トルクＴｐを、起動時から所定時間Δｔ1内には最大トルクまたは大トルクＴｐMとし、それ以降の所定時間Δｔ2には、段階的または連続的に漸次低減して行くようにする（図３（ａ），図４（ａ））。
（Ｂ）  ステッピングモータ３の出力トルクＴｐを、起動時から所定時間Δｔ1内では大トルクＴｐMで一定とし、その所定時間Δｔ1の経過後は、所定時間Δｔ2の間、通常トルクＴｐ0で一定とする（図５（ａ））。
（Ｃ）  ステッピングモータ３の出力トルクＴｐを、通常トルクＴｐ0以上に設定された起動時トルクＴｐsから、漸次増大させて行き、弁体２が移動したことが流量変化検知回路８によって検知されると、それ以降は、通常トルクＴｐ0に戻す（図６（ａ））。この場合、従って、弁体２が移動したときに最大トルクとなるがこれが大トルクＴｐMということになる。この点では、この制御則については、純粋なシーケンシャル制御則ではなく、むしろ数値制御（ニューメリックコントロール）則的であると言える。
（Ｄ）  ステッピングモータ３の出力トルクＴｐを、起動時から一定に大トルクＴｐMに保ち続け、弁体２が移動したことが流量変化検知回路８によって検知されると、それ以降は、通常トルクＴｐ0にする（図７（ａ））。この制御則も、（Ｃ）と同様の意味で、数値制御則的なものであると言える。
（Ｅ）  ステッピングモータ３の出力トルクＴｐを、復帰ボタン装置６または遮断キー装置７によって第１回目の弁体移動命令が入力されると、まず通常トルクＴｐ0とし、それ以降、所定時間Δｔth以内に再び（第２回目の）弁体移動命令が入力された場合には、大トルクＴｐMとする。しかし、第１回目の弁体移動命令が入力されて通常トルクＴｐ0とした後、所定時間Δｔth以内に第２回目の弁体移動命令が入力されなかった場合には、それ以上ステッピングモータ３を回転させることなく、そのままの状態を保つ（図８（ａ））。
【００５４】
次に、この遮断弁装置の作用について説明する。
【００５５】
図１１は、ステッピングモータの一般的な負荷特性の一例を表した表図である。弁体２や運動変換機構４などに固着が生じている場合、その固着状態を脱出するためには、例えばＴｐMという大きさのトルクが必要であるとする。
【００５６】
一般のガスメータにおける遮断弁装置では、固着が発生していない状態を想定して設定してなる通常トルクＴｐ0を、ステッピングモータ３から出力させ、その通常トルクＴｐ0を直線運動の力に変換して駆動力とし、弁体２を移動させている。また、この場合、弁体２や運動変換機構４がスムースに動作することを前提としているので、この場合のステッピングモータ３の動作特性としては、プルアウトトルクカーブを用いて、出力トルクＴｐの大きさをパルス周波数等によって制御すると共に、回転角度（合計回転数）を合計入力パルス数によって制御している。具体的には、要求される通常トルクＴｐ0の出力に適合するために、ステッピングモータ３に入力する駆動電圧波形のパルス周波数（単位時間当りのパルス数）をｆｐ0に設定している。このｆｐ0に対応した出力トルクが通常トルクＴｐ0として弁体２の移動に利用される。
【００５７】
ところが、弁体２や運動変換機構４に固着が生じていると、ステッピングモータ３は起動時からほぼストールに近い状態に陥るか、または完全にストールするので、プルアウトトルクカーブではなくプルイントルクカーブに従った特性となる。しかも、その固着状態を脱出するためには、通常トルクＴｐ0よりも大きな大トルクＴｐMが必要となる。このため、ステッピングモータ３に入力する駆動電圧波形のパルス周波数を一般的なｆｐ0に設定していると、そのパルス周波数ｆｐ0とプルイントルクカーブとに従って、そのときステッピングモータ３は通常トルクＴｐ0にも達しない小さなトルクしか出力できないことになり、固着状態からの脱出は、ますます困難になる。
【００５８】
そこで、本実施の形態では、長時間に亘って弁体２が一定状態を保ち続けていた場合には、弁体２や運動変換機構４に固着が発生している確率が高いと見做して、その固着状態を脱出するために必要な大トルクＴｐM以上の大きさのトルクをステッピングモータ３から出力させるために、ステッピングモータ３に入力する駆動電圧波形のパルス周波数を、プルイントルクカーブに従って大トルクＴｐMに対応した低いｆｐMあるいはさらにそれ以下の値にシフトさせる。
【００５９】
このようにすることにより、大トルクＴｐM（あるいはそれ以上の大きさのトルク）をステッピングモータ３から出力させ、その大トルクＴｐMを運動変換機構４によって弁体２の直線移動力に変換し、その強力な力によって、弁体２や運動変換機構４を固着から脱出させることができる。
【００６０】
そして、一旦、固着から脱出した後には、それまでのような大きな力で弁体２を移動させる必要はないので、その脱出以降から所定の距離（位置）まで弁体２を移動させるための駆動力としては、通常トルクＴｐ0を用いる。その通常トルクＴｐ0をステッピングモータ３から出力させるためには、ステッピングモータ３に入力する駆動電圧波形のパルス周波数をｆｐ0にする。
【００６１】
このような弁体２の駆動方法は、さらに具体的には、図９に簡易フローチャートとして示したような手順となる。
【００６２】
まず、例えば弁体移動命令がユーザ等によって復帰ボタン装置６または遮断キー装置７を介して入力されると（Ｓ１）、その（今回の）入力よりも一回前（前回）に弁体移動命令が入力された時点（ｔ1）から今回の弁体移動命令が入力された時点（ｔ2）までに経過した期間（時間）Δｔ1-2が、所定期間Δｔth1-2以上である場合には（Ｓ２のＹ）、そのように長期間に亘って弁体２が一定状態に置かれていたことに起因して固着が発生している確率が高いので、通常トルクＴｐ0よりも大きな値に設定された大トルクＴｐMをステッピングモータ３から出力させるという大トルクモードによる弁体移動制御を選択し、その一連の制御動作を実行する（Ｓ３）。しかしここで、期間Δｔ1-2が、所定期間Δｔth1-2未満である場合には（Ｓ２のＮ）、長時間に亘って弁体２が一定状態に置かれていたのではなかったので、固着が発生している確率が低いものとして（極論すれば固着は発生していないものと見做して）、通常トルクＴｐ0でステッピングモータ３を回転駆動させるという通常トルクＴｐ0モードによる弁体移動制御を選択し、その制御動作を実行する（Ｓ４）。
【００６３】
ここで、時刻ｔ1，ｔ2 の情報は、マイコンに付属した情報記憶素子などへ順次に上書き保存すればよい。具体的には、今回の弁体移動命令が入力された時点の時刻ｔ2 の情報を取得した際に、その時刻ｔ2 の情報を、それまで保存されていた時刻ｔ1 の情報の上に書き込む（いわゆる上書きする）。そしてそれ以降、その新たに書き込まれた時刻ｔ2 の情報を、さらに次回（時刻ｔ0から見て次々回）の弁体移動命令が入力される時点まで保存しておくようにすればよい（Ｓ５）。
【００６４】
上記の大トルクモードを含んだ弁体移動制御方法については、さらに詳細には、次のような変形が可能である。
【００６５】
（Ａ）  図３（ａ）に示したように、ステッピングモータ３からの出力トルクＴｐを、起動時に最大トルク（大トルクＴｐM）とし、それ以降、段階的に漸次低減して行くようにする。あるいは、図４（ａ）に示したように、出力トルクＴｐを、起動時に最大トルクとし、それ以降、連続的に（傾斜的に）漸次低減して行くようにする。このステッピングモータ３からの出力トルクＴｐを運動変換機構４で直線運動に変換することで、弁体２が駆動される。このとき、ステッピングモータ３の起動時から所定時間Δｔ1に亘っては、固着が発生していない通常トルクＴｐ0よりも大きなトルクに設定してなる大トルクＴｐMが出力され、それが運動変換機構４によって直線運動の力に変換されて、弁体２を駆動することになるので、その大きな力によって弁体２が固着力に抗して動かされて、固着状態から脱出することができる。このようにして弁体２を固着状態から脱出させた後、弁体２が十分な距離を移動するまでの所定時間Δｔ2では、消費電力量を抑制するために、ステッピングモータ３からの出力トルクＴｐを漸次に低減させて行く。
【００６６】
このようにして、固着から脱出するまでは、その固着脱出に必要な大トルクＴｐMを運動変換機構４によって変換してなる強力な直線運動の力によって弁体２を駆動することで、確実に弁体２を移動させることができ、かつ固着から脱出した後は、大トルクＴｐMによる力よりも小さな通常トルクＴｐ0による力によって弁体２を十分な距離まで移動させることで、その間の消費電力量を低減することができる。
【００６７】
このような駆動制御を行うためには、ステッピングモータ３に入力する駆動電圧波形のパルス周波数ｆｐを、例えば図３（ｂ），図４（ｂ）に示したように、ｆｐM→漸次増大して→ｆｐ0という時間的パターンに設定する。
【００６８】
（Ｂ）  図５（ａ）に示したように、ステッピングモータ３からの出力トルクＴｐを、起動時から所定時間Δｔ1の間は大トルクＴｐMで一定とし、その所定時間Δｔ1の経過後の所定時間Δｔ2 の間は通常トルクＴｐ0で一定とする。このようなステッピングモータ３からの出力トルクＴｐを、運動変換機構４で直線運動に変換することで、直線運動の力とし、それによって弁体２が駆動される。このとき、ステッピングモータ３の起動時から所定時間Δｔ1の間は、固着が発生していない場合の通常トルクＴｐ0よりも大きなトルクに設定してなる大トルクＴｐMがステッピングモータ３から出力され、その大トルクＴｐMを運動変換機構４で変換してなる直線運動の力によって弁体２が動かされるので、弁体２は固着状態から脱出することができる。そして弁体２を固着状態から脱出させて以降、所定時間Δｔ2 の間は、弁体２をさらに所定の距離に亘って（所定の位置まで）移動させることになるが、この間は固着力に抗して弁体２を運動させる必要はないので、消費電力量を抑制するために、ステッピングモータ３からの出力トルクＴｐを、固着が生じていない通常の状態でガスの流体力や圧力に抗して移動可能な程度の大きさに設定してなる通常トルクＴｐ0にする。
【００６９】
このようにして、所定時間Δｔ1の間は一定の大トルクＴｐMによって弁体２を駆動して、固着状態を確実に脱出することができ、かつ固着から脱出した後は、大トルクＴｐMよりも小さな通常トルクＴｐ0による直線運動の力によって、弁体２を所定の距離に亘って（所定の位置まで）移動させることにより、その間の消費電力量を低減することができる。
【００７０】
このような駆動制御を行うためには、ステッピングモータ３に入力する駆動電圧波形のパルス周波数ｆｐを、例えば図５（ｂ）に示したように、ｆｐMで所定時間Δｔ1に亘って一定→ｆｐ0で所定時間Δｔ2に亘って一定という時間的パターンに設定する。
【００７１】
（Ｃ）  図６（ａ）に示したように、ステッピングモータ３からの出力トルクＴｐを、通常トルクＴｐ0と同等またはそれ以上に設定された起動時トルクＴｐSから漸次増大させて行く。このようにして徐々に弁体２の移動のために加えられる力（トルクＴｐ）を大きくして行くと、弁体２を固着力に抗して脱出させることができる程の大きさに至ったときには（このときのトルクが大トルクＴｐMということになる）、弁体２は固着状態を脱して移動を開始する。すると、その弁体２が移動したことが流量変化検知回路８によって検知される。このようにして弁体２が固着状態から脱出したことが検知されると、それ以降は、無駄な電力消費を抑えるために、ステッピングモータ３からの出力トルクＴｐを通常トルクＴｐ0にして、弁体２を所定位置まで（所定距離に亘って）移動させる。
【００７２】
このようにすることで、弁体２が固着状態から脱出できる必要最小限の大トルクＴｐMを探りながら、弁体２を固着から脱出させることができるので、無駄に大きな電力の消費が回避される。また、固着を脱出して以降は通常トルクＴｐ0に見合った消費電力量で済むので、固着脱出後についても無駄な電力消費を回避することができる。
【００７３】
このような駆動制御を行うためには、ステッピングモータ３に入力する駆動電圧波形のパルス周波数ｆｐは、例えば図６（ｂ）に示したような時間的パターンとなる。
【００７４】
（Ｄ）  図７（ａ）に示したように、ステッピングモータ３からの出力トルクＴｐを、起動時から一定の大トルクＴｐMに保ち続ける。この大トルクＴｐMによって強力な直線移動の力が与えられ続けた弁体２は、固着状態を脱して、正常な移動を開始する。すると、その弁体２が移動したことが流量変化検知回路８によって検知される。弁体２が移動したことが流量変化検知回路８によって検知されると、それ以降は、ステッピングモータ３からの出力トルクＴｐを、通常トルクＴｐ0にして一定に保ち、所定距離に亘って移動を完了させる。
【００７５】
このようにして、弁体２が固着状態から脱出できるまで大トルクＴｐMを出力することで、その大トルクＴｐMを直線運動に変換してなる強い力で弁体２を継続的に駆動し続けて、確実に固着状態から脱出させることができる。また、弁体２が固着状態を脱出して以降は、通常トルクＴｐ0で弁体２を駆動するので、その間の無駄に大きな電力の消費を回避することができる。
【００７６】
このような駆動制御を行うためには、ステッピングモータ３に入力する駆動電圧波形のパルス周波数ｆｐは、例えば図７（ｂ）に示したような時間的パターンとなる。
【００７７】
（Ｅ）  図１０の簡易フローチャート、および図８（ａ）に示したように、復帰ボタン装置６または遮断キー装置７によって第１回目の弁体移動命令が入力されると（Ｓ１１）、まず、ステッピングモータ３からの出力トルクＴｐを、通常トルクＴｐ0の大きさにする（Ｓ１２）。また、このとき、時間Δｔを計測開始する（Ｓ１３）。そしてそれ以降、再び第２回目の弁体移動命令が入力される（Ｓ１４のＹ）までの時間Δｔを読み取る（Ｓ１５）。その時間Δｔが、例えば３分間のような比較的短時間に設定してなる所定時間Δｔth以内の場合には（Ｓ１６のＹ）、そのような短時間内に第２回目の弁体移動命令が再入力されたということは、固着に起因して弁体２が移動しなかったのでユーザ等が弁体移動命令を再入力したものと見做して、その固着状態を脱出するために、ステッピングモータ３からの出力トルクＴｐを大トルクＴｐMにして弁体２を駆動するという大トルクモードを選択・実行する（Ｓ１７）。これにより、弁体２は固着状態から脱出することができる。あるいはここで、Δｔが所定時間Δｔth以内ではない場合、つまり所定時間Δｔthを超過していた場合には（Ｓ１６のＮ）、長期間に亘って第２回目の弁体移動命令が再入力されなかったということであるから、その第１回目の弁体移動命令で弁体２が正常に移動したのでユーザ等が短時間に引き続き弁体移動命令を再入力しなかったものと見做して、そのまま、さらに次回の弁体移動命令の入力待ち状態に戻る（Ｓ１６Ｎ〜Ｓ１１）。
【００７８】
このようにすることで、極めて簡易な手法によって、ユーザによる弁体移動命令の入力の時間的パターンに応じて、弁体２が正常に移動したか否かを判定することができる。そして、弁体２が正常に移動しなかったと判定された場合には、大トルクＴｐMを変換してなる強い移動力によって弁体２を確実に固着状態から脱出させることができる。また、弁体２が正常に移動したと判定された場合には、通常トルクＴｐ0を変換してなる通常の移動力によって弁体２を通常の低い電力消費量で移動させることができる。
【００７９】
このような駆動制御では、ステッピングモータ３に入力する駆動電圧波形のパルス周波数ｆｐは、例えば図８（ｂ）に示したような時間的パターンとなる。
【００８０】
なお、本実施の形態に係るガスメータの積算流量計測器としての構成および動作・作用等については、本発明の要部との関係性が薄いので、以上の説明では省略したが、それら積算流量計測器としての構成および動作・作用等は通常のガスメータと同様のものであることは言うまでもない。
【００８１】
また、上記の実施の形態では、弁体移動命令を、ユーザ等が復帰ボタン装置６または遮断キー装置７によって入力する場合について説明したが、弁体移動命令の入力は、この他にも、例えばガス漏洩の発生をガス漏洩検知回路（図示省略）によって検知した場合、そのガス漏洩検知回路がいわゆる緊急遮断として弁体２を開放状態から遮断状態へと移動させるように、弁体移動命令を駆動制御回路５に入力することなども可能であることは勿論である。
【００８２】
また、上記実施の形態では詳述は省略したが、所定期間Δｔth1-2以上の長期間に亘って弁体２が一定状態を継続していた場合には、ステッピングモータ３から一定の大トルクＴｐMを出力させて弁体２を所定の距離に亘って（弁体２の移動の１ストローク最後まで）移動させ、所定期間Δｔth1-2以上の長期間に亘って弁体２が一定状態を継続していなかった場合には、ステッピングモータ３から一定の通常トルクＴｐ0を出力させて弁体２を所定の距離に亘って移動させるようにしてもよいことは勿論である。
【００８３】
以上のように、本実施の形態に係るガスメータに内蔵された遮断弁装置によれば、消費電力量の低減を実現しつつ、固着状態を脱出して正常な弁動作を行うことができる。
【産業上の利用可能性】
【００８４】
本発明に係る遮断弁装置は、都市ガスやＬＰガスのような可燃性のガスの漏洩等の防止のためにガスメータに内蔵されて利用されることが可能である。あるいはその他にも、液体燃料や液化燃料のような液体用の遮断弁装置としても適用可能である。
【図面の簡単な説明】
【００８５】
【図１】本発明の一実施の形態に係る遮断弁装置を内蔵してなるガスメータの概要構成を表す模式図である。
【図２】遮断弁装置に用いられるステッピングモータおよび運動変換機構ならびに弁体を部分的に抽出して表した一部省略断面図である。
【図３】駆動制御回路によるステッピングモータの具体的な駆動制御パターンの一態様を示す図である。
【図４】駆動制御パターンの、他の一態様を表す図である。
【図５】駆動制御パターンの、さらに他の一態様を表す図である。
【図６】駆動制御パターンの、さらに他の一態様を表す図である。
【図７】駆動制御パターンの、さらに他の一態様を表す図である。
【図８】駆動制御パターンの、さらに他の一態様を表す図である。
【図９】駆動制御回路による駆動制御則の主要な流れを示すフローチャートである。
【図１０】駆動制御回路による、他の駆動制御則の主要な流れを示すフローチャートである。
【図１１】ステッピングモータの一般的な負荷特性の一例を表した図である。
【符号の説明】
【００８６】
１…導通口、２…弁体、３…ステッピングモータ、４…運動変換機構、５…駆動制御回路、６…復帰ボタン装置、７…遮断キー装置、８…流量変化検知回路、９…導通路容器、１０…弁座、１１…フランジ板部、１２…運動変換機構本体、１３…ウォーム歯、１５…ガイド切欠き、１６…ガイド板、１７…ウォーム歯受け溝、１８…受け孔、１９…出力軸
【図１】
2006038182.tif 000003
【図２】
2006038182.tif 000004
【図３】
2006038182.tif 000005
【図４】
2006038182.tif 000006
【図５】
2006038182.tif 000007
【図６】
2006038182.tif 000008
【図７】
2006038182.tif 000009
【図８】
2006038182.tif 000010
【図９】
2006038182.tif 000011
【図１０】
2006038182.tif 000012
【図１１】
2006038182.tif 000013